(57)【要約】【課題】型枠を地面方向に引っ張って固定する際に、型枠に浮き上がり力を作用させないコンクリー擁壁用型枠固定部材及び型枠固定金具を提供する。【解決手段】本型枠固定部材は、基台に並設して固定される前桟木と後桟木の間に立設される型枠を基台上に押圧して固定するために使用される。型枠固定部材30は、型枠40の所定高さ位置に、一端が後面型枠42のパネル43に止金具25により固定され他端が前面型枠41のパネル43に締付金具23により固定されるセパレータシャフト21を有している。そして、そのセパレータシャフト21と締付金具23を介して一端が前面型枠41のパネル43の表面のパネル支持点に固定され、他端が前桟木47の基台支持点に設けられた係止部材475に連結される型枠固定金具10を有している。型枠固定金具10は、その長さを調整することができるようになっている。【選択図】図１
2020193509.tif 000002
【特許請求の範囲】
【請求項１】
基台上に重力式コンクリート擁壁を施工するための型枠を前記基台上に押圧して固定する型枠固定部材であって、
前記基台に並設して固定される前桟木と後桟木の間に立設される型枠であって、コンクリートを画するパネル、そのパネルを補強する縦桟及び横桟を有する前面型枠と後面型枠が型枠用セパレータで固定されてなる型枠において、
前記型枠の所定高さ位置に、一端が前記後面型枠のパネルに止金具により固定され他端が前記前面型枠のパネルに締付金具により固定されるセパレータシャフトと、そのセパレータシャフトと前記締付金具を介して一端が前記前面型枠のパネル表面のパネル支持点に固定され、他端が前記前桟木の基台支持点に設けられた係止部材に連結される型枠固定金具と、を有してなり、
前記型枠固定金具はその長さが調整できるようになっている型枠固定部材。
【請求項２】
型枠固定金具は、ヘラ状のパネル接続部材と、そのパネル接続部材に連結されるチェーンと、そのチェーンに連結されるターンバックル及び前桟木の係止部材に連結される端部チェーンを備える連結部材と、を有し、
前記パネル接続部材は、剛性の高い本体部と、その本体部から屈曲してすくい角を形成し前記チェーンからの負荷に応じて弾性変形するヘラ状部と、そのヘラ状部にセパレータシャフトを貫通させるセパレータ穴と、を有してなる請求項１に記載の型枠固定金具。
【請求項３】
すくい角は、15°〜45°であることを特徴とする請求項２に記載の型枠固定金具。
【発明の詳細な説明】
【技術分野】
【０００１】
本発明は、重力式コンクリート擁壁の施工用型枠を基台に固定するための型枠固定部材及び型枠固定金具に関する。
【背景技術】
【０００２】
重力式コンクリート擁壁を施工する際には型枠が使用される。この型枠に生コンクリートが投入されると、その生コンクリートが型枠内に確実に流し込まれて締め固められるように、バイブレータなどを使用したコンクリートの打ち込みが行われる。この際に、型枠が浮き上がって生コンクリートが型枠外に流れ出す不具合を生ずる場合がある。かかる不具合を防止するための方法が提案されている。
【０００３】
特許文献１には、道路その他の構造物の一部としてのコンクリート擁壁を構築するに際して、該コンクリート擁壁を構築するための所定の個所に前面型枠と背面型枠を設置すると共に、該両型枠間を所定間隔で金属製線材により接続してなる擁壁構築用型枠の組立方法において、該両型枠の下部位に複数個の空気抜き孔を備えた鋼板を、その線材保持部に前記金属製線材を結合して配設する擁壁構築用型枠の組立方法が提案されている。
【０００４】
特許文献２には、コンクリート擁壁用型枠に取り付けられる掛け金具と、その掛け金具に連結されるターンバックルが設けられたチェーンと、そのチェーンの他端に連結される留め金具と、その留め金具に設けた透孔を通して嵌号する杭とを有するコンクリート擁壁用型枠固定金具が提案されている。このコンクリート擁壁用型枠固定金具は、ターンバックルによりチェーンを緊張させると、コンクリート擁壁用型枠は杭を介して地面に引きつけられるため、浮き上がることがないとされる。また、掛け金具は、コの字形のフック部が型枠の横桟に引っ掛けられるようになっており、擁壁の構造や形、施工場所を選ばず、コンクリート擁壁用型枠に容易に取り付けることができるとされる。
【０００５】
特許文献３には、コンクリート壁類等のベースに埋設される留め金具と、その留め金具のＵ字状留め具にターンバックルを介して連結されるチェーンと、そのチェーンの他端に連結される掛け金具と、を有する仮設資材固定金具であって、前記掛け金具は、型枠の上端部あるいは単管等の引掛け部に掛けられる留め具と、その留め具の基端に回動継ぎ手を介して連結されるリング状留め具を有する仮設資材固定金具が提案されている。
掛け金具と留め金具との間にチェーンを容易に張ることができると共に、型枠の浮上がりを防止することができるとされる。
【先行技術文献】
【特許文献】
【０００６】
【特許文献１】特開平8-277537号公報
【特許文献２】特開2002-327544号公報
【特許文献３】特開平8-303001号公報
【発明の概要】
【発明が解決しようとする課題】
【０００７】
特許文献１に記載の擁壁構築用型枠の組立方法においては、鋼板の空気抜き孔を通して型枠内にコンクリートを打ち込むために作業性が悪く、また、コンクリート擁壁の底面に平行な鋼板をコンクリート擁壁中に残留させるので、作業効率又は経済性において好ましくない。一方、特許文献２に記載のコンクリート擁壁用型枠固定金具、または、特許文献３に記載の仮設資材固定金具により型枠を地面方向に引っ張って地面に固定する方法は、掛け金具を型枠の横桟に容易に引っ掛けることができるので作業性がよく、経済性に優れる。しかしながら、それらの方法は、掛け金具にかかる張力の作用点が型枠のパネル面から縦桟の高さ又は縦桟と横桟の合計高さ位置になり、その高さをモーメントアームとするモーメントが作用し、型枠に浮き上り力が作用するので好ましくない。
【０００８】
本発明は、このような従来の問題点に鑑み、型枠を地面方向に引っ張って固定する際に、型枠に浮き上がり力を作用させないコンクリート擁壁用型枠固定部材及び型枠固定金具を提供することを目的とする。
【課題を解決するための手段】
【０００９】
本発明に係る型枠固定部材は、基台上に重力式コンクリート擁壁を施工するための型枠を前記基台上に押圧して固定する型枠固定部材であって、前記基台に並設して固定される前桟木と後桟木の間に立設される型枠であって、コンクリートを画するパネル、そのパネルを補強する縦桟及び横桟を有する前面型枠と後面型枠が型枠用セパレータで固定されてなる型枠において、前記型枠の所定高さ位置に、一端が前記後面型枠のパネルに止金具により固定され他端が前記前面型枠のパネルに締付金具により固定されるセパレータシャフトと、そのセパレータシャフトと前記締付金具を介して一端が前記前面型枠のパネル表面のパネル支持点に固定され、他端が前記前桟木の基台支持点に設けられた係止部材に連結される型枠固定金具と、を有してなり、前記型枠固定金具はその長さが調整できるようになっている。
【００１０】
上記発明において、型枠固定金具は、ヘラ状のパネル接続部材と、そのパネル接続部材に連結されるチェーンと、そのチェーンに連結されるターンバックル及び前桟木の係止部材に連結される端部チェーンを備える連結部材と、を有し、前記パネル接続部材は、剛性の高い本体部と、その本体部から屈曲してすくい角を形成し前記チェーンからの負荷に応じて弾性変形するヘラ状部と、そのヘラ状部にセパレータシャフトを貫通させるセパレータ穴と、を有してなる。
【００１１】
上記発明において、すくい角は、15°〜45°とすることができる。
【発明の効果】
【００１２】
本発明に係る型枠固定部材は、型枠の浮き上がりを防止することができ、作業性及び経済性に優れる。そして、本発明に係る型枠固定金具は、簡易な構成で作業性及び経済性に優れる。
【図面の簡単な説明】
【００１３】
【図１】本発明に係る型枠固定部材の説明図である。
【図２】本発明に係る型枠固定金具の説明図である。
【発明を実施するための形態】
【００１４】
以下、本発明を実施するための形態について図面を基に説明する。図１は、本発明に係る型枠固定部材の構成を説明する模式図である。本型枠固定部材は、基台上に重力式コンクリート擁壁を施工するための型枠に使用され、基台に並設して固定される前桟木と後桟木の間に立設される型枠を基台上に押圧して固定するために使用される。すなわち、図１に示すように、本型枠固定部材30は、基台50に並設して固定される前桟木47と後桟木48の間に立設される型枠40に使用される。型枠40は、特に限定されず通常使用される型枠のように、前面型枠41と後面型枠42を有している。そして、前面型枠41又は後面型枠42は、コンクリートを画するパネル43と縦桟44と横桟45を有している。前面型枠41と後面型枠42とは、セパレータ46により連結・固定される。
【００１５】
基台50は、特に限定されず下均しされた地面をいい、例えば捨てコン打設が行われた地面をいう。セパレータ46は、特に限定されず通常使用されるものでよい。前面型枠41の傾斜面に合わせてセパレータ46のシャフト部分は屈曲させて使用される。セパレータ46を後面型枠42に固定する止め金具、または、セパレータ46を前面型枠に固定する締付金具は、市販のものを使用することができる。
【００１６】
型枠固定部材30は、型枠40の所定高さ位置に、一端が後面型枠42のパネル43に止金具25により固定され他端が前面型枠41のパネル43に締付金具23により固定されるセパレータシャフト21を有している。そして、そのセパレータシャフト21と締付金具23を介して一端が前面型枠41のパネル43の表面のパネル支持点に固定され、他端が前桟木47の基台支持点に設けられた係止部材475に連結される型枠固定金具10を有している。型枠固定金具10は、その長さを調整することができるようになっている。止金具25、締付金具23又はセパレータシャフト21は、セパレータ46に一般的に使用されているものを使用することができる。ここで、締付金具23は締付長さ調整機能を有するもの、止金具25は締付長さ調整機能の無いものをいうが、止金具25に替えて締付金具23を使用することもできる。
【００１７】
型枠固定金具10は、図２に示すように、ヘラ状のパネル接続部材11と、そのパネル接続部材11に連結されるチェーン13と、そのチェーン13に連結されるターンバックル16及び前桟木47の係止部材475に連結される端部チェーン17を備える連結部材と、を有している。そして、パネル接続部材11は、剛性の高い本体部110と、その本体部110から屈曲してすくい角を形成しチェーン13からの負荷に応じて弾性変形するヘラ状部111と、そのヘラ状部111にセパレータシャフト21を貫通させるセパレータ穴115と、を有している。
【００１８】
本型枠固定金具10は、一端が、パネル接続部材11のヘラ状部111が前面型枠41のパネル43の表面のパネル支持点に固着されている。そして、型枠固定金具10の他端が前桟木47の基台支持点に設けられた係止部材475に連結され、型枠固定金具10はターンバックル16でその長さが調節できるようになっている。このため、前面型枠41のパネル43にパネル支持点から基台方向の張力を作用させることができ、パネル43にはモーメントによる浮き上がり力が作用しない構成にすることができる。前桟木47と後桟木48の間に立設する型枠40は、この張力により基台上に押圧されるようになる。パネル接続部材11のヘラ状部111は、すくい角を有するとともに弾性を有し、弾性変形をしてパネル支持点から基台支持点方向に向かう張力が作用するようにするのがよい。すくい角は、15°〜45°とすることができる。ヘラ状部111（薄板部）は、例えば、厚さ1.2〜2.3（mm）×幅30〜40（mm）の鋼板から形成することができる。パネル接続部材11は、弾性変形するヘラ状部111とチェーン13と連結される強度を要する本体部110とを有するものであればよく、例えば、パネル接続部材11を図２に示すように薄板部と厚板部116の溶接加工により成形することができる。また、薄板のプレス加工によりパネル接続部材11を成形することもできる。
【００１９】
チェーン13又は端部チェーン17は、市販のものを使用することができ、例えば呼径６のものを使用することができる。チェーンは所要の長さのものを容易に得ることができ、また、所要箇所に簡便に係止させることができるので便宜である。ターンバックル16は、市販のものを使用することができる。係止部材47は、容易に前桟木47に固着でき、端部チェーン17に係合させることができるものであればよい。
【符号の説明】
【００２０】
10    型枠固定金具
11    パネル接続部材
110  本体部
111  ヘラ状部
115  セパレータ穴
116  圧板部
13    チェーン
15    連結部材
16    ターンバックル
17    端部チェーン
21    セパレータシャフト
23    締付金具
25    止金具
30    型枠固定部材
40    型枠
41    前型枠
42    後型枠
43    パネル
44    縦桟
45    横桟
46    セパレータ
47    前桟木
475  係止部材
48    後桟木
50    基台
【図１】
2020193509.tif 000003
【図２】
2020193509.tif 000004